(57)【特許請求の範囲】
【請求項１】
電子デバイスを制御する方法であって、前記電子デバイスは、前記電子デバイスに対する無線通信トラフィックを現在処理している現在アクティブなアンテナとして動作する１つのアンテナを有し、かつ前記電子デバイスに対する無線通信トラフィックを処理するための代替アンテナとして機能する少なくとも１つの他のアンテナを有する、方法であって、
前記現在アクティブなアンテナを使用して、データのフレームを受信するステップであって、前記データのフレームは、前記電子デバイスに割り当てられているトラフィックチャネルタイムスロットを有する複数のタイムスロットを含んでいる、受信するステップと、
少なくとも第１のフレーム中に、前記現在アクティブなアンテナで受信される信号に対するビーコンチャネル信号強度を測定するステップと、
少なくとも第２のフレーム中に、前記代替アンテナで受信される信号に対するビーコンチャネル信号強度を測定するステップと、
前記現在アクティブなアンテナと前記代替アンテナそれぞれで受信される前記信号に対する前記ビーコンチャネル信号強度の比較の少なくとも一部に基づいて、前記電子デバイスに対する無線通信トラフィックを処理する際に、前記現在アクティブなアンテナの代わりに前記代替アンテナを使用するかを判定するステップと
前記ビーコンチャネル信号強度の測定に基づいて、信号強度差分値を計算するステップとを備え、
前記現在アクティブなアンテナと前記代替アンテナとの間でのアンテナ切替動作には、前記信号強度差分値が、単位時間当たりに何回、閾値を越えなければならないことを特定する閾値条件が課されている
ことを特徴とする方法。
【請求項２】
前記電子デバイスに対する無線通信トラフィックを処理する際の前記１つのアンテナよりも前記他のアンテナが現在より利用可能であることを判定することに応じて、前記他のアンテナを現在動作するアンテナとして動作するように構成設定し、前記１つのアンテナを前記代替アンテナとして動作するように構成設定するステップを更に備える
ことを特徴とする請求項１に記載の方法。
【請求項３】
前記電子デバイスに対する無線通信トラフィックを処理する際の前記他のアンテナよりも前記１つのアンテナがより適合していることを判定することに応じて、前記１つのアンテナを前記現在アクティブなアンテナとして維持し、前記他のアンテナを前記代替アンテナとして維持するステップを更に備える
ことを特徴とする請求項１に記載の方法。
【請求項４】
前記信号強度差分値の少なくとも一部に基づいて、平均信号強度値を計算するステップを更に備える
ことを特徴とする請求項１に記載の方法。
【請求項５】
前記平均信号強度値をフィルタ処理することによってフィルタ処理済の信号強度値を取得するステップと、
前記電子デバイスに対する無線通信トラフィックを処理する際に現在動作しているアンテナよりも前記代替アンテナが現在より利用可能であるかを判定するために、前記フィルタ処理済の信号強度値と所定の閾値量とを比較するステップと
を更に備えることを特徴とする請求項４に記載の方法。
【請求項６】
前記電子デバイスは、切替回路を通じて前記現在アクティブなアンテナと前記代替アンテナとに選択的に接続される少なくとも１つの受信機を含んでいて、
前記少なくとも第１のフレーム中に、前記切替回路を使用して、前記現在のアクティブなアンテナを前記受信機へ接続し、かつ前記受信機から前記代替アンテナを切り離すステップと、
前記少なくとも第２のフレーム中に、前記切替回路を使用して、前記代替アンテナを前記受信機へ接続し、かつ前記受信機から前記現在のアクティブなアンテナを切り離すステップと
を更に備えることを特徴とする請求項１に記載の方法。
【請求項７】
前記電子デバイスは、前記１つのアンテナに接続される第１の受信機と、前記他のアンテナに接続される第２の受信機とを少なくとも含み、
前記現在アクティブなアンテナで受信される信号に対するビーコンチャネル信号強度を測定するステップは、
前記第１のフレーム中に、前記１つのアンテナを通じて前記第１の受信機によって受信される信号に対する前記ビーコンチャネル信号強度を測定することを含み、
前記第１のフレーム中に、前記他のアンテナを通じて前記第２の受信機によって受信される信号に対するビーコンチャネル信号強度を測定するステップを更に備える
ことを特徴とする請求項１に記載の方法。
【請求項８】
電子デバイスを制御する方法であって、前記電子デバイスは、前記電子デバイスに対する無線通信トラフィックを現在処理している現在アクティブなアンテナとして動作する１つのアンテナを有し、かつ前記電子デバイスに対する無線通信トラフィックを処理するための代替アンテナとして機能する少なくとも１つの他のアンテナを有する、方法であって、
前記現在アクティブなアンテナを使用して、データのフレームを受信するステップであって、前記データのフレームは、前記電子デバイスに割り当てられているトラフィックチャネルタイムスロットを有する複数のタイムスロットを含んでいる、受信するステップと、
前記現在アクティブなアンテナを使用して、前記トラフィックチャネルタイムスロットに関連付けられている信号強度を測定するステップと、
測定される、前記トラフィックチャネルタイムスロットに関連付けられている信号強度が所定量を超えることの判定に応じて、前記代替アンテナを使用して前記トラフィックチャネルタイムスロットに関連付けられている信号強度を測定するステップと、
前記現在アクティブなアンテナと前記代替アンテナとを使用して行われる前記トラフィックチャネル信号強度の測定に基づいて、信号強度差分値を計算するステップとを備え、
前記現在アクティブなアンテナと前記代替アンテナとの間でのアンテナ切替動作には、前記信号強度差分値が、単位時間当たりに何回、閾値を越えなければならないことを特定する閾値条件が課されている
ことを特徴とする方法。
【請求項９】
前記現在アクティブなアンテナを使用して、前記トラフィックチャネルタイムスロットに関連付けられている信号強度を測定するステップは、第１のフレームで前記現在アクティブなアンテナを使用して前記トラフィックチャネルタイムスロットに関連付けられている前記信号強度を測定することを含み、
前記代替アンテナを使用して前記トラフィックチャネルタイムスロットに関連付けられている信号強度を測定するステップは、前記第１フレームに続く第２のフレームで前記代替アンテナを使用して前記トラフィックチャネルタイムスロットに関連付けられている前記信号強度を測定することを含んでいる
ことを特徴とする請求項８に記載の方法。
【請求項１０】
前記フレームは、前記トラフィックチャネルタイムスロットに関連付けられている前記信号強度が前記所定量より小さいサイレントフレームを含み、かつ前記トラフィックチャネルタイムスロットに関連付けられている前記信号強度が前記所定量を超える少なくとも１つの非サイレントフレームを含んでいて、
前記代替アンテナを使用して前記トラフィックチャネルタイムスロットに関連付けられている信号強度を測定するステップは、先行する非サイレントフレームに続く非サイレントフレームで前記代替アンテナを使用して前記トラフィックチャネルタイムスロットに関連付けられている前記信号強度を測定することを含んでいる
ことを特徴とする請求項８に記載の方法。
【請求項１１】
前記データのフレームのいくつかは、サイレンスインジケータ記述フレームを含み、
少なくとも第１の前記サイレンスインジケータ記述フレーム中に、前記現在アクティブなアンテナを使用して前記第１のサイレンスインジケータ記述フレームに関連付けられている信号強度を測定するステップと、
少なくとも第２の前記サイレンスインジケータ記述フレーム中に、前記代替アンテナを使用して前記第２のサイレンスインジケータ記述フレームに関連付けられている信号強度を測定するステップと
を更に備えることを特徴とする請求項８に記載の方法。
【請求項１２】
前記データのフレームは、適応マルチレートオーディオフォーマットで符号化されている
ことを特徴とする請求項８に記載の方法。
【請求項１３】
前記現在アクティブなアンテナを使用して、前記トラフィックチャネルタイムスロットに関連付けられている信号強度を測定するステップは、第１のフレームで前記現在アクティブなアンテナを使用して前記トラフィックチャネルタイムスロットに関連付けられている前記信号強度を測定することを含み、
前記代替アンテナを使用して前記トラフィックチャネルタイムスロットに関連付けられている信号強度を測定するステップは、前記第１のフレームで前記代替アンテナを使用して前記トラフィックチャネルタイムスロットに関連付けられている前記信号強度を測定することを含んでいる
ことを特徴とする請求項８に記載の方法。
【請求項１４】
電子デバイスを制御する方法であって、前記電子デバイスは、前記電子デバイスに対する無線通信トラフィックを現在処理している現在アクティブなアンテナとして動作する１つのアンテナを有し、かつ前記電子デバイスに対する無線通信トラフィックを処理するための代替アンテナとして機能する少なくとも１つの他のアンテナを有する、方法であって、
前記現在アクティブなアンテナを使用して、データのフレームを受信するステップであって、前記データのフレームは、前記電子デバイスに割り当てられているトラフィックチャネルタイムスロットを有する複数のタイムスロットを含んでいて、かつ前記データのフレームのいくつかは、サイレンスインジケータ記述フレームを含んでいる、受信するステップと、
少なくとも第１の前記サイレンスインジケータ記述フレーム中に、前記現在アクティブなアンテナを使用して、前記第１のサイレンスインジケータ記述フレームに関連付けられている信号強度を測定するステップと、
少なくとも第２の前記サイレンスインジケータ記述フレーム中に、前記代替アンテナを使用して、前記第２のサイレンスインジケータ記述フレームに関連付けられている信号強度を測定するステップと、
前記現在アクティブなアンテナと前記代替アンテナそれぞれを使用して行われる前記サイレンスインジケータ記述フレーム信号強度の比較の少なくとも一部に基づいて、前記電子デバイスに対する無線通信トラフィックを処理する前記現在アクティブなアンテナの代わりに、前記代替アンテナを使用するかを判定するステップと、
前記現在アクティブなアンテナと前記代替アンテナとを使用して行われる前記サイレンスインジケータ記述フレーム信号強度の測定に基づいて、信号強度差分値を計算するステップとを備え、
前記現在アクティブなアンテナと前記代替アンテナとの間でのアンテナ切替動作には、前記信号強度差分値が、単位時間当たりに何回、閾値を越えなければならないことを特定する閾値条件が課されている
ことを特徴とする方法。
【請求項１５】
少なくとも前記第１のサイレンスインジケータ記述フレーム中に、前記代替アンテナを使用して前記第１のサイレンスインジケータ記述フレームに関連付けられている前記信号強度を測定するステップを更に備える
ことを特徴とする請求項１４に記載の方法。
【請求項１６】
受信する前記フレームの所定の部分で、基地送受信機局から前記サイレンスインジケータ記述フレームを受信するステップを更に備える
ことを特徴とする請求項１４に記載の方法。
【請求項１７】
前記電子デバイスに対する無線通信トラフィックを処理する際の前記１つのアンテナよりも前記他のアンテナが現在より利用可能であることを判定することに応じて、前記他のアンテナを現在動作するアンテナとして動作するように構成設定し、前記１つのアンテナを前記代替アンテナとして動作するように構成設定するステップを更に備える
ことを特徴とする請求項１４に記載の方法。
【請求項１８】
前記電子デバイスに対する無線通信トラフィックを処理する際の前記他のアンテナよりも前記１つのアンテナが現在より利用可能であることを判定することに応じて、前記１つのアンテナを前記現在アクティブなアンテナとして維持し、前記他のアンテナを前記代替アンテナとして維持するステップを更に備える
ことを特徴とする請求項１７に記載の方法。
【請求項１９】
前記信号強度差分値の少なくとも一部に基づいて、平均信号強度値を計算するステップと、
前記平均信号強度値をフィルタ処理することによってフィルタ処理済の信号強度値を取得するステップと、
前記電子デバイスに対する無線通信トラフィックを処理する際の前記１つのアンテナと前記他のアンテナの内の１つが現在より利用可能であることを判定するために、前記フィルタ処理済の信号強度値と所定の閾値量とを比較するステップと
を更に備えることを特徴とする請求項１８に記載の方法。
【発明の詳細な説明】
【技術分野】
【０００１】
優先権出願
本願は、２０１１年８月５日に出願された、同時係属の米国特許出願１３／２０４６１７号の、発明の名称が「アンテナ切替機能を有する電子デバイス」の優先権を主張するものであり、これは、その全体を参照することによって本明細書に組み込まれる。
【０００２】
発明の背景
本願は、一般的には、無線通信回路に関するものであり、より詳しくは、複数のアンテナを有する無線通信回路を有する電子デバイスに関するものである。
【０００３】
セルラー電話及びポータブルコンピュータのような電子デバイスには、通常は、無線通信機能が提供されている。例えば、電子デバイスは、セルラー電話回路及びＷｉＭａｘ（ＩＥＥＥ８０２．１６）回路のような長距離無線通信回路を使用することができる。電子デバイスは、ＷｉＦｉ（ＩＥＥＥ８０２．１１）回路及びブルートゥース（登録商標）回路のような短距離無線通信回路も使用することができる。
【０００４】
アンテナパフォーマンスは、電子デバイスの無線機能をユーザが利用するための能力に影響を与える。アンテナパフォーマンスが十分でない場合、呼は劣化することがある、あるいはデータ転送レートが望まない遅さになることがある。アンテナパフォーマンスが設計基準を満足することを確実するためには、とくには、複数のアンテナを有する電子デバイスを提供することが要望される場合がある。いくつかの状況では、デバイス内の制御回路は、複数のアンテナを切り替えて（スイッチして）、各アンテナに関連付けられている受信信号の品質を監視して、呼トラフィックを取り扱う際に使用する最適なアンテナを判定することができる。
【０００５】
複数のアンテナを有する電子デバイスのいくつかは、時分割多元アクセス（ＴＤＭＡ）通信システムで使用することができる。この通信システムには、例えば、移動通信（ＧＳＭ）セルラーシステム用の「２Ｇ」グローバルシステムがある。このタイプの電子デバイスは、通常は、受信ダイバーシティをサポートしておらず（即ち、ＴＤＭＡベースの電子デバイスは、通常、複数のアンテナを使用して同時に複数のダウンリンク信号を受信することができない）、そのため、ある時点で１つのアンテナの信号品質しか監視することができない。
【０００６】
また、ＴＤＭＡベースの電子デバイスは、時には、サイレンス期間中にエネルギーを損失しているダウンリンク信号を受信する。例えば、第１のユーザデバイスと第２のユーザデバイスとの間で呼が確立されている状況を想定する。第２のユーザが沈黙している場合、あるいは低音声アクティビティレベルを示している場合、第２のユーザデバイスは、不連続に送信される信号を出力する可能性がある（ＤＴＸ）。その結果、第１のユーザデバイスは、時には、信号品質測定には適切でない弱いダウンリンク信号を受信することになる。
【０００７】
それゆえ、複数のアンテナを有するＴＤＭＡベースのデバイスにおけるダウンリンク信号品質を監視するための改善された方法を提供し、無線通信リンクを取り扱うための最適なアンテナを選択するためのメカニズムを提供することができることが要望されている。
【発明の概要】
【０００８】
要約
無線通信回路を含んでいる電子デバイスを提供することができる。この無線通信回路は、複数のアンテナに接続されている無線周波数送受信機回路を含んでいても良い。この無線通信回路は、時分割多元アクセス（ＴＤＭＡ）ネットワーク技術をサポートするように構成されていても良く、この技術には、移動通信用「２Ｇ」グローバルシステム（ＧＳＭ）プロトコル、「３Ｇ」ユニバーサル移動体通信システム（ＵＭＴＳ）プロトコル、「４Ｇ」ロングタームエボリューション（ＬＴＥ）プロトコル等がある。
【０００９】
信号強度測定値は、アンテナを使用して収集され、対応する信号強度差分測定値が生成される。この差分測定値は、アンテナの１つが特別なパフォーマンスを示しているかどうかを他のアンテナに反映する。代替アンテナが現在アクティブなアンテナよりも良好に動作していると判定される場合（即ち、代替アンテナが、電子デバイスに対する無線通信トラフィックをより処理することができる場合）、使用するアンテナを代替アンテナに切り替えることができる。信号強度差分測定値は、電子デバイスで動作する制御アルゴリズムを使用して処理され、アンテナを切り替えるか否かを判定することができる。
【００１０】
本発明の１つの適切な構成では、ユーザデバイスは、アイドルＴＤＭＡタイムスロット中にビーコンチャネルで制御信号を受信するように構成することができる。例えば、ユーザデバイスは、自身の代替アンテナを使用して第１のＴＤＭＡフレームを受信し、第１のＴＤＭＡフレームの所定のタイムスロット中にビーコンチャネルで制御信号を受信し、そして、対応する受信電力レベルを測定することができる。ユーザデバイスは、自身の現在のアクティブなアンテナを使用して第２の（連続する）ＴＤＭＡフレームを受信し、第２のＴＤＭＡフレームの所定タイムスロット中にビーコンチャネルで制御信号を受信し、そして、対応する受信電力レベルを測定することができる。このような方法で、２つの隣接するＴＤＭＡフレームから測定される受信電力レベルは、信号強度差分値を計算するために使用することができる。
【００１１】
本発明の別の適切な構成では、ユーザデバイスは、トラフィックチャネル（ＴＣＨ）フレーム及びサイレンスインジケータ記述（ＳＩＤ）フレームの少なくとも一方のような非サイレントＴＤＭＡフレームのプレゼンスを検出するように構成されていても良い。基地局がトラフィックデータ信号を送信していない場合（即ち、基地局が不連続送信（ＤＴＸ）モードである場合）、サイレントフレームは、現在サービスを提供している基地局によってユーザデバイスへ送信される。ユーザデバイスは、適応（アダプティブ）マルチレート（ＡＭＲ）音声コーデックに基づいて、システムに対する非サイレントフレーム（例えば、ＡＭＲ音声フォーマットで符号化されているサイレントフレーム）のプレゼンスをブラインド検出することができる一方で、ユーザデバイスは、非ＡＭＲベースのシステムに対して所定パターンで送信される予約済のＳＩＤフレームを処理することができる。どちらの状況でも、ユーザデバイスは、非サイレントフレームを受信しながら、自身のアンテナから使用するアンテナと使用しないアンテナとをトグルすることができる（例えば、ユーザデバイスは、１つのフレームに対して現在アクティブなアンテナを使用して、連続するフレームに対して代替アンテナを使用して信号を受信することができる）。このような方法で、２つの近隣する非サイレントフレームから測定される受信電力レベルは、信号強度差分値を計算するために使用することができる。
【００１２】
受信ダイバーシティを有する無線デバイスに対して、複数のアンテナそれぞれに関連付けられている受信電力レベルは、アンテナのそれぞれを並行して使用して関心のダウンリンク信号を受信することによって同時に測定することができる。このようなタイプの無線デバイスに対して、アンテナのトグルは必要とされない。ビーコンチャネルに基づく測定と非サイレントフレーム検出に基づく測定は、受信ダイバーシティを有するユーザデバイスに適用することができ、また、任意の数の無線送受信機とアンテナを有するユーザデバイスに適用することができる（例えば、少なくとも２個のアンテナ、少なくとも３個のアンテナ、少なくとも１０個のアンテナ等を有する電子デバイスに）。
【００１３】
本発明の更なる特徴、その性質及び様々な効果は、添付の図面と以下の詳細説明からより明らかとなろう。
【図面の簡単な説明】
【００１４】
【図１】本発明の実施形態に従う複数のアンテナを有する無線通信回路を備える電子デバイスの斜視図である。
【図２】本発明の実施形態に従う複数のアンテナを有する無線通信回路を備える電子デバイスと基地局とを含む無線ネットワークを示す図である。
【図３】本発明の実施形態に従う、使用するアンテナを制御するための回路と複数のアンテナを含む無線回路を示す図である。
【図４】本発明の実施形態に従うアンテナ切替制御アルゴリズムを示す図である。
【図５】本発明の実施形態に従う代替アンテナと現在アクティブなアンテナを使用して受信される信号に対する信号強度差分値を計算する際に関与するステップ群のフローチャートである。
【図６】本発明の実施形態に従う、様々なタイプのトラフィックチャネルマルチフレームを示す図である。
【図７Ａ】本発明の実施形態に従うハーフレート時分割多元アクセスフレームに対する信号強度のビーコンチャネルに基づく測定を示す図である。
【図７Ｂ】本発明の実施形態に従うフルレート時分割多元アクセスフレームに対する信号強度のビーコンチャネルに基づく測定を示す図である。
【図８】本発明の実施形態に従う図７Ａと図７Ｂとともに示されるタイプの測定に基づいて、信号強度差分値を計算する際に関与するステップ群を示すフローチャートである。
【図９】本発明の実施形態に従う、非サイレントフレームと、間欠送信サイレンスインジケータ記述（ＳＩＤ）フレームをブラインド検出することによる信号強度の測定を示す図である。
【図１０】本発明の実施形態に従う、所定パターンの予約済のサイレンスインジケータ記述（ＳＩＤ）フレームを監視することによる、信号強度の測定を示す図である。
【図１１】本発明の実施形態に従う適応マルチレート（ＡＭＲ）オーディオフォーマットで符号化されているフレームに対する信号強度差分値を計算する際に関与するステップ群のフローチャートである。
【図１２】本発明の実施形態に従う非適応マルチレート（非ＡＭＲ）オーディオフォーマットで符号化されているフレームに対する信号強度差分値を計算する際に関与するステップ群のフローチャートである。
【発明を実施するための形態】
【００１５】
電子デバイスは、無線通信回路で提供されても良い。この無線通信回路は、複数の無線通信帯域における無線通信をサポートするために使用することができる。無線通信回路は、アンテナダイバーシティシステムを実現するように配置される複数のアンテナを含んでいる。
【００１６】
これらのアンテナは、ループアンテナ、逆Ｆ字型アンテナ、ストリップアンテナ、平面逆Ｆ字型アンテナ、スロットアンテナ、ハイブリッドアンテナを含むことができる。ハイブリッドアンテナとは、２つ以上のタイプのあるいは他の適切なアンテナからなるアンテナ構造を含むものである。アンテナ用の導電構造は、導電ハウジング構造（例えば、接地平面と周辺導電ハウジング部材あるいは他のハウジング構造の一部）のような導電電子デバイス構造、プラスチック、ガラスあるいはセラミック基板上の配線のような基板上の配線、フレキシブルプリント回路基板上の配線（「フレックス回路」）、硬質プリント回路基板（例えば、ガラス繊維充填エポキシ基板）、パターン形成金属箔部分、金属線、導線の一片、他の導電構造の部品、あるいは、これらの構造の組み合わせで形成される導電構造で形成されていても良い。
【００１７】
１つ以上のアンテナ（例えば、２つのアンテナ、３つのアンテナ、４つのアンテナ、５つのアンテナ、あるいはそれ以上のアンテナ）を搭載することができる例示のタイプの電子デバイスが図１に示される。電子デバイス１０は、ポータブル電子デバイスあるいは他の適切な電子デバイスとすることができる。例えば、電子デバイス１０は、ラップトップコンピュータ、タブレットコンピュータ、小型デバイスとすることができる。この小型デバイスには、例えば、携帯電話、メディアプレーヤ、リストウォッチデバイス、ペンダントデバイス、ヘッドフォンデバイス、受話デバイス、あるいは他のウェアラブルデバイスあるいは小型デバイス等がある。
【００１８】
デバイス１０は、ハウジング１２のようなハウジングを含むことができる。ハウジング１２は、時には、ケースと呼ばれることもあり、これは、プラスチック、ガラス、セラミック、繊維複合体、金属（例えば、ステンレス鋼、アルミニウム等）、他の適切な材料、あるいはこれらの材料の組み合わせで形成することができる。いくつかの状況では、ハウジング１２の部分は、誘電体、あるいは他の低導電材料で形成されていても良い。他の状況では、ハウジング１２、あるいはハウジング１２を形成する構造群の少なくともいくつかは、金属要素で形成されていても良い。
【００１９】
デバイス１０は、必要であれば、ディスプレイ１４のようなディスプレイを有することができる。ディスプレイ１４は、例えば、容量性接触電極を組み込んでいるタッチスクリーンとすることができる。ディスプレイ１４は、発光ダイオード（ＬＥＤ）、有機ＬＥＤ（ＯＬＥＤ）、プラズマセル、電子インク要素、液晶ディスプレイ（ＬＣＤ）コンポーネント、あるいは他の適切な画素構造で形成される画像画素を含むことができる。カバーガラス層が、ディスプレイ１４の表面を覆っていても良い。周辺領域２０Ｉのようなディスプレイ１４の部分は、不活性であっても良く、また、画像画素構造を欠いていても良い。矩形中央部分２０Ａ（破線２０によって囲まれている）のようなディスプレイ１４の部分は、ディスプレイ１４のアクティブ部分に対応する。アクティブディスプレイ領域２０Ａでは、画像画素のアレイが、ユーザに対して画像を表示するために使用されても良い。
【００２０】
ディスプレイ１４を覆うカバーグラス層は、ボタン１６に対する円状の開口のような開口部と、スピーカポート開口１８（例えば、ユーザの耳用のスピーカ用）のようなスピーカポート開口部を有することができる。デバイス１０は、他の開口（例えば、ボリュームボタン、リンガーボタン、スリープボタン、及び他のボタンを提供するための、ディスプレイ１４及びハウジング１２の少なくとも一方における開口、オーディオジャック、データポートコネクタ、リムーバルメディアスロット等のための開口）も有することができる。
【００２１】
ハウジング１２は、周辺導電部材を含むことができ、これには、（例として）ディスプレイ１４とデバイス１０の矩形状の外形の周辺を走る金属のベゼルあるいはバンドがある。周辺導電部材は、必要であれば、デバイス１０のアンテナを形成する際に使用することができる。
【００２２】
アンテナは、デバイス１０の縁に沿って、あるいは、延伸要素あるいは着脱構造として電子デバイス１１０の背面あるいは前面に、あるいは、デバイス１０の任意の位置に配置されていても良い。１つの適切な配置を用いることで、時には、これは、例示として本明細書で記載される、デバイス１０は、ハウジング１２の下端２４に１つ以上のアンテナが備えられ、また、ハウジング１２の上端２２に１つ以上のアンテナが備えられていても良い。電子デバイスの対向する端部に（即ち、デバイス１０が図１に示されるような細長い矩形状のタイプである場合でのディスプレイ１４とデバイス１０のより狭い端部の領域に）アンテナを配置することは、ディスプレイ１４の導電部分（例えば、ディスプレイ１４のアクティブ領域２０Ａ内の画素アレイ、及び駆動回路群）に関連付けられている接地構造から適切な距離に、これらのアンテナを形成することを可能にする。
【００２３】
必要であれば、第１のセルラー電話アンテナを領域２４に配置することができ、第２のセルラー電話アンテナを領域２２に配置することができる。グローバル位置決めシステムの信号のような衛星ナビゲーション信号を処理するためのアンテナ構造、あるいは、ＩＥＥＥ８０２．１１（ＷｉＦｉ（登録商標））信号あるいはブルートゥース（登録商標）信号のような無線ローカルエリアネットワーク信号を処理するためのアンテナ構造を（個別の追加のアンテナとして、あるいは、第１のセルラー電話アンテナと第２のセルラー電話アンテナの一部として）、領域２２及び領域２４の少なくとも一方に備えることもできる。アンテナ構造を、ＷｉＭａｘ（ＩＥＥＥ８０２．１６）信号を処理するために、領域２２及び領域２４の少なくとも一方に備えることもできる。
【００２４】
領域２２及び領域２４において、導電ハウジング構造とプリント回路基板、及びデバイス１０を形成する他の導電電子コンポーネントとの間に開口部が形成されていても良い。これらの開口部は、空気、プラスチック、あるいは他の誘電体で充填されていても良い。導電ハウジング構造、及び他の導電構造は、デバイス１０内のアンテナ用の接地平面として機能しても良い。領域２２及び領域２４内の開口部は、開放型スロットアンテナあるいは密閉型スロットアンテナにおけるスロットとして機能しても良く、ループアンテナにおける材料の導電経路によって囲まれる中心誘電体領域として機能しても良く、ストリップアンテナ共鳴要素のようなアンテナ共鳴要素あるいは接地平面からデバイス１０における導電周辺ハウジング構造の一部によって形成される逆Ｆ字型アンテナ共鳴要素のような逆Ｆ字型アンテナ共鳴要素を分離する空間として機能しても良く、そうでなければ、領域２２及び領域２４において形成されるアンテナ構造の一部として機能しても良い。
【００２５】
アンテナは、同一の領域２２及び領域２４で形成されても良い（即ち、アンテナ群は、セルラー電話帯域あるいは他の関心の通信帯域の同一のセットをそれぞれ網羅する領域２２及び領域２４で形成されていても良い）。レイアウトの制約あるいは他の設計上の制約のために、同一のアンテナを使用することが要求できない場合がある。むしろ、異なる設計を使用して、領域２２及び領域２４内にアンテナが実装されることが好ましい場合がある。例えば、領域２４内の第１のアンテナは関心のすべてのセルラー電話帯域（例えば、４つあるいは５つの帯域）をすべて網羅し、また、領域２２内の第２のアンテナは、第１のアンテナによって処理される４つあるいは５つのの帯域のサブセットを網羅することができる。領域２４内のアンテナが領域２２内のアンテナによって処理される帯域のサブセットを処理する構成（あるいはその逆の構成）を使用することもできる。回路を調整することは、リアルタイムでこのタイプのアンテナを調整して、帯域群の第１のサブセットあるいは帯域群の第２のサブセットを網羅し、そして、これによって、関心の帯域のすべてを網羅するために使用することができる。
【００２６】
デバイス１０が動作するシステムの図が図２に示される。図２に示されるように、システム１１は、基地局２１（時には、基地送受信機局と呼ばれる）のような無線ネットワーク機器を含むことができる。基地局２１のような基地局は、セルラー電話ネットワークあるいは他の無線ネットワーク機器に関連付けられていても良い。デバイス１０は、無線リンク２３（例えば、セルラー電話リンクあるいは他の無線通信リンク）を介して基地局２１と通信することができる。
【００２７】
デバイス１０は、記憶及び処理回路２８のような制御回路を含むことができる。記憶及び処理回路２８は、ハードディスクドライブ記憶装置、不揮発性メモリ（例えば、フラッシュメモリあるいは、ソリッドステートドライブを形成するように構成されている他の電子プログラマブルリードオンリメモリ）、揮発性メモリ（例えば、スタティックメモリあるいはダイナミックランダムアクセスメモリ）等のような記憶装置を含むことができる。記憶及び処理回路２８における処理回路と、無線通信回路３４における制御回路のような他の制御回路は、デバイス１０の動作を制御するために使用することができる。この処理回路は、１つ以上のマイクロプロセッサ、マイクロコントローラ、デジタル信号プロセッサ、ベースバンドプロセッサ、電力回路ユニット、オーディオコーデックチップ、特定用途集積回路等に基づいていても良い。
【００２８】
記憶及び処理回路２８は、デバイス１０上でソフトウェアを実行するために使用することができる。これには、インターネット閲覧アプリケーション、ボイスオーバインターネットプロトコル（ＶＯＩＰ）電話呼出アプリケーション、電子メールアプリケーション、メディア再生アプリケーション、オペレーティングシステム機能等がある。基地局２１のような外部機器との相互作用をサポートするために、記憶及び処理回路２８は、通信プロトコルを実装する際に使用することができる。記憶及び処理回路２８を使用して実装することができる通信プロトコルは、インターネットプロトコル、無線ローカルエリアネットワークプロトコル（例えば、ＩＥＥＥ８０２．１プロトコル、時には、ＷｉＦi（登録商標）と呼ばれる）、ブルートゥース（登録商標）プロトコル、ＩＥＥＥ８０２．１６（ＷｉＭａｘ）プロトコルのような他の短距離無線通信リンク用のプロトコル、移動通信（ＧＳＭ）用の「２Ｇ」グローバルシステムプロトコル、「３Ｇ」ユニバーサル移動通信システム（ＵＭＴＳ）プロトコル、「４Ｇ」ロングタームエボリューション（ＬＴＥ）プロトコル等がある。
【００２９】
回路２８は、デバイス１０のアンテナの使用を制御する制御アルゴリズムを実現するように構成されていても良い。例えば、回路２８は、信号を送受信するために使用する特定のアンテナを切り替えるために無線回路３４を構成設定することができる。いくつかの状況では、回路２８は、センサ信号と、受信信号の品質を反映する信号（例えば、受信ページング信号、受信音声呼トラフィック、受信制御チャネル信号、受信トラフィックチャネル信号等）を収集する際に使用することができる。デバイス１０で行うことができる信号品質測定の例は、ビット誤り率測定、信号対ノイズ比測定、到来無線信号に関連する電力量についての測定、受信信号強度インジケータ（ＲＳＳＩ）情報に基づくチャネル品質測定（ＲＳＳＩ測定）、受信信号コード電力（ＲＳＣＰ）情報に基づくチャネル品質測定（ＲＳＣＰ測定）、信号対干渉比（ＳＩＮＲ）と信号対ノイズ比（ＳＮＲ）情報に基づくチャネル品質測定（ＳＩＮＲ及びＳＮＲ測定）、Ｅｃ／ｌｏあるいはＥｃ／Ｎｏデータのような信号品質データに基づくチャネル品質測定（Ｅｃ／ｌｏ及びＥｃ／Ｎｏ測定）等を含んでいる。この情報は、使用されるアンテナを制御する際に使用することができる。アンテナ選択は、他の基準に基づいて行うこともできる。
【００３０】
入力−出力回路３０はデバイス１０にデータを供給することを可能にし、かつ、デバイス１０から外部デバイスへデータを提供することを可能にするために使用することができる。入力‐出力回路３０は、入力‐出力デバイス３２を含むことができる。入力‐出力デバイス３２は、タッチスクリーン、ボタン、ジョイスティック、クリックホイール、スクロールホイール、タッチパッド、キーパッド、キーボード、マイクロフォン、スピーカ、トーンジェネレータ、バイブレータ、カメラ、加速度計（動きセンサ）、環境光センサ、及び他のセンサ、発光ダイオード、及び他のステータスインジケータ、データポート等を含むことができる。ユーザは、入力‐出力デバイス３２を通じてコマンドを供給することによってデバイス１０の動作を制御することができ、かつ、入力‐出力デバイス３２の出力リソースを使用して、デバイス１０からステータス情報及び他の出力を受信することができる。
【００３１】
無線通信回路３４は、１つ以上の集積回路から形成される無線周波数（ＲＦ）送受信機回路、電力増幅回路、低ノイズ入力増幅器、パッシブＲＦコンポーネント、１つ以上のアンテナ、及びＲＦ無線信号を処理するための他の回路を含むことができる。
【００３２】
無線通信回路３４は、グローバル位置決めシステム（ＧＰＳ）受信機回路３５（例えば、１５７５ＭＨｚで衛星位置決め信号を受信するための）のような衛星ナビゲーションシステム受信機回路を含むことができる。送受信機回路３６は、ＷｉＦｉ（登録商標）（ＩＥＥＥ８０２．１１）通信用の２．４ＧＨｚ及び５ＧＨｚ帯域を処理することができ、また、２．４ＧＨｚブルートゥース通信帯域を処理することができる。回路３４は、セルラー電話帯域群における無線通信を処理するためのセルラー電話送受信機回路３８を使用することができ、これらの帯域群には、８５０ＭＨｚ、９００ＭＨｚ、１８００ＭＨｚ、１９００ＭＨｚ、及び２１００ＭＨｚ、あるいは関心の他のセルラー電話帯域がある。無線通信回路３４は、必要であれば、他の短距離無線リンク及び長距離無線リンクに対する回路を含むことができる（例えば、ＷｉＭａｘ回路等）。無線通信回路３４は、例えば、無線信号及びテレビ信号を受信するための無線回路、ページング回路等を含んでいても良い。ＷｉＦｉ（登録商標）リンク及びブルートゥース（登録商標）リンク、及び他の短距離無線リンクでは、無線信号は、典型的には、数十あるいは数百フィートに渡ってデータを搬送するために使用される。セルラー電話リンクと他の長距離リンクでは、無線信号は、典型的には、数千フィートあるいは数マイルに渡ってデータを搬送するために使用される。
【００３３】
無線通信回路３４は、アンテナ４０を含むことができる。アンテナ４０は、任意の適切なタイプのアンテナを使用して形成することができる。例えば、アンテナ４０は、ループアンテナ構造、パッチアンテナ構造、逆Ｆ字型アンテナ構造、密閉型及び開放型スロットアンテナ構造、平面逆Ｆ字型アンテナ構造、ヘリカルアンテナ構造、ストリップアンテナ、モノポール、ダイポール、これらの構成のハイブリッド等から形成される共鳴要素を備えるアンテナを含むことができる。異なるタイプのアンテナを、異なる帯域及びその帯域の組み合わせに対して使用することができる。例えば、あるタイプのアンテナはローカル無線リンクアンテナを形成時に使用することができ、また、別のタイプのアンテナはリモート無線リンクアンテナを形成時に使用することができる。図１とともに説明されるように、デバイス１０における複数のセルラー電話アンテナが存在していても良い。例えば、デバイス１０の領域２４における１つのセルラー電話アンテナと、デバイス１０の領域２２における別のセルラー電話アンテナとが存在していても良い。これらのアンテナは、固定であっても良く、あるいは調整可能であっても良い。
【００３４】
デバイス１０は、制御アルゴリズム（例えば、アンテナダイバーシティ制御アルゴリズム及び他の無線制御アルゴリズム）を実現するための制御コードを記憶し実行するように構成されている制御回路によって制御することができる。図３に示されるように、制御回路４２は、記憶及び処理回路２８（例えば、マイクロプロセッサ、メモリ回路等）を含むことができ、また、ベースバンドプロセッサ５８を含むことができる。ベースバンドプロセッサ５８は、無線回路３４の一部を形成することができ、また、メモリ回路及び処理回路を含むことができる（即ち、ベースバンドプロセッサ５８は、デバイス１０の記憶及び処理回路の一部を形成するようにみなすことができる）。
【００３５】
ベースバンドプロセッサ５８は、経路４８を介して記憶及び処理回路２８にデータを提供することができる。経路４８上のデータは、受信信号用の無線（アンテナ）パフォーマンス測定基準に関連付けられている生データ及び処理データを含むことができ、これには、受信電力、送信電力、フレーム誤り率、ビット誤り率、受信信号強度インジケータ（ＲＳＳＩ）情報に基づくチャネル品質測定値、受信信号コード電力（ＲＳＣＰ）情報に基づくチャネル品質測定値、信号対干渉比（ＳＩＮＲ）と信号対ノイズ比（ＳＮＲ）情報に基づくチャネル品質測定値、Ｅｃ／ｌｏあるいはＥｃ／Ｎｏデータのような信号品質データに基づくチャネル品質測定値、電子デバイスからのリクエストに対応する応答（確認応答）がセルラー電話基地局から受信されているかについての情報、ネットワークアクセス手順が成功しているかについての情報、電子デバイスと基地局との間のセルラーリンクを介して再送信が何回要求されているかについての情報、シグナリングメッセージの損失が受信されているかについての情報、及び無線回路３４のパフォーマンスの反映である他の情報がある。この情報は、記憶及び処理回路２８、及びプロセッサ５８の少なくとも一方によって解析することができ、その応答として、記憶及び処理回路２８（あるいは、必要であれば、ベースバンドプロセッサ５８）は、制御無線回路３４用の制御コマンドを発行することができる。例えば、記憶及び処理回路２８は、経路５２及び経路５０に制御コマンドを発行することができる。
【００３６】
無線回路３４は、無線周波数送受信機回路６０と無線周波数フロントエンド回路６２のような無線周波数送受信機回路を含むことができる。無線周波数送受信機回路６０は、送受信機５７及び６３のような１つ以上の無線周波数送受信機を含むことができる（例えば、１つ以上の送受信機は複数のアンテナ間で共有される、アンテナ毎に１つの送受信機等がある）。図３の図示の構成では、無線周波数送受信機回路６０は、経路（ポート）５４に関連付けられている送受信機５７（また、経路４４に関連付けられていても良い）のような第１の送受信機と、経路（ポート）５６に関連付けられている送受信機６３（また、経路４６と関連付けられていても良い）のような第２の送受信機とを有する。送受信機５７は、送信機５９のような送信機と、受信機６１のような受信機を含むことができる、あるいは受信機（例えば、受信機６１）だけを含むことができる、あるいは送信機（例えば、送信機５９）だけを含むことができる。送受信機６３は、送信機６７のような送信機と、受信機６５のような受信機とを含むことができる、あるいは受信機（例えば、受信機６５）だけを含むことができる、あるいは送信機（例えば、送信機６７）だけを含むことができる。
【００３７】
ベースバンドプロセッサ５８は、記憶及び処理回路２８から送信されるデジタルデータを受信することができ、また、経路４６と無線周波数送受信機回路６０を使用して対応する無線周波数信号を送信することができる。無線周波数フロントエンド６２は、無線周波数送受信機６０とアンテナ４０との間に接続されていて、また、送信機５９及び６７によって生成される無線周波数信号をアンテナ４０へ搬送するために使用することができる。無線周波数フロントエンド６２は、無線周波数スイッチ、インピーダンスマッチング回路、フィルタ、及びアンテナ４０と無線周波数送受信機６０との間のインタフェースを形成するための他の回路を含むことができる。
【００３８】
アンテナ４０によって受信される到来無線周波数信号は、無線周波数フロントエンド６２、経路５４及び５６のような経路群、ポート５４における受信機６１とポート５６における受信機６３のような無線周波数送受信機６０内の受信機回路、及び経路４４及び４６のような経路群を介して、ベースバンドプロセッサ５８へ提供されても良い。ベースバンドプロセッサ５８は、これらの受信信号を、記憶及び処理回路２８へ提供されるデジタルデータへ変換することができる。ベースバンドプロセッサ５８は、受信信号から、送受信機が現在調整しているチャネルに対する信号品質を示す情報を抽出することもできる。例えば、ベースバンドプロセッサ及び制御回路４２内の他の回路の少なくとも一方は、受信信号を解析して、ビット誤り率測定値、到来無線信号に関連付けられている電力量の測定値、強度インジケータ（ＲＳＳＩ）情報、受信信号コード電力（ＲＳＣＰ）情報、信号対干渉比（ＳＩＮＲ）情報、信号対ノイズ比（ＳＮＲ）情報、Ｅｃ／ｌｏあるいはＥｃ／Ｎｏデータのような信号品質データに基づくチャネル品質測定値等を生成することができる。これらの情報は、デバイス１０において使用するアンテナ（群）を制御する際に使用することができる。例えば、制御回路４２上で動作する制御アルゴリズムは、これらのような信号強度データ測定値に基づいて使用する特定のアンテナへ切り替えるために使用することができる。
【００３９】
無線周波数フロントエンド６２は、送受信機５７をアンテナ４０Ｂに接続し、送受信機６３をアンテナ４０Ａに接続するために、あるいはその逆のために、使用されるスイッチを含むことができる。このスイッチは、経路５０を介して制御回路４２から受信される制御信号によって構成することができる。回路４２は、例えば、無線周波数信号を送信するために使用されるアンテナを選択するために（２つのアンテナ間で送受信機６０内の単一の送信機を共有することが要望されている場合）、あるいは無線周波数信号を受信するために使用されるアンテナを選択するために（２つのアンテナ間で単一の受信機を共有することが要望されている場合）、このスイッチを調整することができる。
【００４０】
必要であれば、アンテナの選択は、フロントエンド６２内のスイッチを使用することなく、送受信機群を選択的にアクティベートすることとデアクティベートすることを行うことによって行っても良い。例えば、アンテナ４０Ｂを使用することが要望される場合、送受信機５７（回路６２を介してアンテナ４０Ｂに接続されていても良い）がアクティベートされ、送受信機６３（回路６２を介してアンテナ４０Ａに接続されていても良い）がデアクティベートされて良い。アンテナ４０Ａを使用することが要望されている場合、回路４２は送受信機６３をアクティベートし、また、送受信機５７をデアクティベートすることができる。これらの方法の組み合わせは、信号を送受信するために使用されるアンテナを選択するためにも使用することもできる。
【００４１】
アンテナ４０の１つを介して無線信周波数信号を送信するためにあるいは受信するために無線回路３４を構成設定することに関連付けられている動作のような制御動作は、制御回路４２上で実現される制御アルゴリズムを使用して実行されても良い（例えば、記憶及び処理回路２８とベースバンドプロセッサ５８の制御回路とメモリリソースを使用して）。
【００４２】
デバイス１０のアンテナがユーザの手のような外部オブジェクトによって遮られる場合、あるいはデバイス１０が適切なアンテナ動作と干渉するオブジェクトの近くに位置している場合、あるいは他の要因（例えば、自身の周辺との相対的なデバイス姿勢等）のために、アンテナ動作が中断され得る。最適なアンテナが使用されることを確実にするために、デバイス１０は、各アンテナで受信される信号を監視し、そして、監視される信号に基づいて、デバイス１０に対する無線通信トラフィックを処理するために使用する適切なアンテナに切り替えることができる。
【００４３】
デバイス１０の回路上で動作するアンテナ切替アルゴリズムは、受信信号の評価信号品質に基づいて、アンテナ切替動作を自動的に実行するために使用することができる。このアンテナ切替アルゴリズムは、現在使用されているアンテナにおけるアンテナパフォーマンスが利用可能な代替アンテナに比べて低下しているときはいつでも、あるいは他のアンテナ切替基準を満足している場合に、デバイス１０へ無線信号を処理する際に使用する新規のアンテナを選択することを指示することができる。このタイプの構成を用いることで、無線信号を処理するための複数のアンテナとそれに関連する回路を同時に使用する必要がなくなり、これによって、電力消費を最小限にする。
【００４４】
デバイス１０が第１のアンテナと第２のアンテナとを有する構成は、時には、例示として本明細書で説明される。しかしながら、これは、単なる例示である。デバイス１０は、必要あれば、３つ以上のアンテナを使用することができる。デバイス１０は、実質的に同一のアンテナ（例えば、帯域範囲において、効率性において、等）を使用することができる、あるいは、他のタイプのアンテナ構成を使用することができる。
【００４５】
アンテナ切替動作を実行する際には、デバイス１０は、任意の適切な信号品質測定基準を使用して信号強度を測定することができる。例として、デバイス１０は、受信信号電力を測定することができる、あるいは、受信信号強度インジケータ（ＲＳＳＩ）情報を収集することができる、あるいは、受信信号コード電力（ＲＳＣＰ）情報を収集することができる、あるいは、受信信号強度における他の情報を収集することができる。
【００４６】
受信信号強度情報は、デバイス１０の各アンテナに対して収集することができる。例えば、デバイス１０が上位アンテナと下位アンテナを含んでいる場合、上位アンテナと下位アンテナの両方で受信される信号に対する信号強度を収集することができる。上位アンテナと下位アンテナの受信信号強度は、アンテナ切替制御アルゴリズムによって処理することができる。この切替アルゴリズムは、切替基準と測定された受信アンテナ信号強度を使用して、リアルタイムで、デバイス１０におけるアンテナ配置を切り替えるべきかどうかを判定することができる。切替基準を満足する場合、アンテナを交換することができる。例えば、受信信号強度データと閾値設定を比較することによって、下位アンテナが遮られていると判定される場合、上位アンテナを、その下位アンテナに代えて現在のアクティブなアンテナとして機能させるために使用するように切り替えながら、下位アンテナは代替アンテナとして機能するように使用しないように切り替わる。
【００４７】
図４は、ＧＳＭ、ＵＭＴＳ、ＬＴＥ及び他のＴＤＭＡネットワークアクセス技術のような時分割多元アクセス（ＴＤＭＡ）をサポートするデバイス１０で使用するための例示の切替制御アルゴリズムの図である。デバイス１０と現在サービスを提供している基地送受信機局との間で呼が確立している場合、デバイス１０は、状態１００で動作するために初期化される。状態１００では、デバイス１０は、下位アンテナＡＮＴ０（時には、「プライマリ」アンテナと呼ばれる）を使用して無線周波数信号を送信及び受信することができる。受信（ＲＸ）信号が低電力レベルを示している場合（例えば、ＲＸレベルが第１の所定閾値よりも小さい場合）、あるいはデバイス１０が、デバイス１０へ高出力電力を使用して無線周波数信号を送信することを指示する送信電力制御（ＴＰＣ）コマンドを基地局から受信する場合（例えば、ＴＸレベルが第２の所定閾値よりも大きい場合）、最小測定期間を特定するタイマを開始して、デバイス１０は状態１０２におかれる。
【００４８】
一般的には、状態１００から状態１０２への遷移は、アンテナＡＮＴ０を使用して、デバイス１０と基地局との間の無線接続が弱い場合にのみ発生し得る。ＲＸレベルが高い場合（例えば、ＲＸレベルが第１の所定閾値よりも大きい場合）で、かつデバイス１０が低出力電力を使用して信号を送信している場合（例えば、ＴＸレベルが第２の所定閾値よりも小さい場合）、デバイス１０は、呼の終了まで状態１００を維持し得る。
【００４９】
状態１０２では、デバイス１０は、アンテナＡＮＴ０を使用して無線周波数信号を送信することができ、また、第１の時間期間中にアンテナＡＮＴＯを使用して無線周波数信号を受信することができ、そして、第２の時間期間中に上位アンテナＡＮＴ１（時には、「セカンダリ」アンテナと呼ばれる）を使用して無線周波数信号を受信することができる。この例では、デバイス１０は、受信ダイバーシティをサポートせず（例えば、受信機６５は停止されるあるいは存在しない）、また、アンテナＡＮＴ０とアンテナＡＮＴ１の一方だけが、デバイス１０の動作中にアクティブに受信機６１に接続される。ＡＮＴＯに関連付けられている受信レベルＲＸ０は、第１の時間期間の間、デバイス１０を使用して測定され（例えば、デバイス１０は、ＲＦフロントエンド６２における切替回路を使用して、第１の時間期間中、ＡＮＴ０と受信機６１を接続し、かつ受信機６１からＡＮＴ１を切り離す）、一方で、ＡＮＴ１に関連付けられている受信レベルＲＸ１は、第２の時間期間の間、デバイス１０を使用して測定される（例えば、デバイス１０は、ＲＦフロントエンド６２における切替回路を使用して、第２の時間期間中、ＡＮＴ１と受信機６１を接続し、かつ受信機６１からＡＮＴ０を切り離す）。
【００５０】
結果として得られる信号強度差分値ΔＲは、ＲＸ１からＲＸ０を差し引くことによって計算される（例えば、ΔＲは、ＲＸ１−ＲＸ０に等しい）。ΔＲが所定の差分閾値ΔＲｔｈを超える場合（即ち、切替基準を満足する場合）、デバイス１０は、状態１０４の動作へ遷移する。デバイス１０が低出力電力を使用して送信している場合、あるいは最小測定タイマが満了した後、ＲＸ０が高い場合（あるいは呼が終了する場合）、デバイス１０は、状態１００へ戻る。一方、最小測定タイマが実行中、あるいはＲＸ０が低いあるいは送信電力が高い間は、デバイス１０はＡＮＴ０とＡＮＴ１の間を交互に切り替えることによって継続的にＲＸ０及びＲＸ１を監視することで、現在サービスを提供している基地局からのダウンリンク信号を受信することができる。
【００５１】
状態１０４では、デバイス１０は、アンテナＡＮＴ１を使用して無線周波数信号を送信することができ、また、第１の時間期間中にアンテナＡＮＴ１を使用して無線周波数信号を受信することができ、そして、第２の時間期間に上位アンテナＡＮＴ０を使用して無線周波数信号を受信することができる。ＡＮＴ１に関連付けられている受信レベルＲＸ１は第１の時間期間の間、デバイス１０を使用して測定され、一方で、ＡＮＴ０に関連付けられている受信レベルＲＸ０は、第２の時間期間の間、デバイス１０を使用して測定される。
【００５２】
結果として得られる信号強度差分値ΔＲは、ＲＸ０からＲＸ１を差し引くことによって計算される（例えば、ΔＲは、ＲＸ０１−ＲＸ１に等しい）。ΔＲが所定の差分閾値ΔＲｔｈを超える場合（即ち、切替基準を満足する場合）、デバイス１０は、状態１０２の動作へ遷移する。デバイス１０が低出力電力を使用して送信している場合、あるいは最小測定タイマが満了する際にＲＸ１が高い場合、デバイス１０は、状態１０６へ戻る。一方、最小測定タイマが実行中、あるいはＲＸ１が低いあるいは送信電力が高い間は、デバイス１０はＡＮＴ０とＡＮＴ１の間を交互に切り替えることによって継続的にＲＸ０及びＲＸ１を監視することで、基地局からのダウンリンク信号を受信することができる。呼が終了する場合、デバイス１０は、デフォルトの状態１００へ戻る。
【００５３】
状態１０６では、デバイス１０は、上位アンテナＡＮＴ１を使用して、無線周波数信号を送受信する。ＲＸ１が第１の所定閾値より小さい場合、あるいはデバイス１０が、第２の所定閾値より大きいＴＸレベルを使用してデバイス１０へ無線周波数信号を送信することを指示する送信電力制御（ＴＰＣ）コマンドを基地局から受信する場合、最小測定期間を特定するタイマを開始して、デバイス１０は、状態１０４で動作するように構成設定される。この状態１０６から１０４への遷移は、アンテナＡＮＴ１を使用する、デバイス１０と基地局との間の接続が弱い場合にのみ発生し得る。ＲＸ１が高い場合（例えば、ＲＸレベルが第１の所定閾値よりも大きい場合）で、かつデバイス１０が低出力電力を使用して信号を送信している場合（例えば、ＴＸレベルが第２の所定閾値よりも小さい場合）、デバイス１０は、呼が終了するまで状態１０６を維持する。
【００５４】
デバイス１０が状態１００と状態１０２で動作している間は、アンテナＡＮＴ０は現在アクティブであるアンテナあるいは「現在」のアンテナと呼ぶことができる一方で、アンテナＡＮＴ１は「代替」アンテナと呼ぶことができる。デバイス１０が状態１０４と状態１０６で動作している間、アンテナＡＮＴ１は現在アクティブなアンテナと呼ぶことができる一方で、アンテナＡＮＴ０は代替アンテナと呼ぶことができる。上述のように、現在のアクティブなアンテナは最近選択された最適なアンテナあるいは呼の開始時のデフォルトアンテナとして定義することができる。一般的には、複数のアンテナの任意の１つは、デバイス１０に対する無線通信トラフィックを処理する際にどのアンテナがより利用できるかに依存して、現在のアクティブなアンテナとして動作するように構成設定することができる。信号強度差分値は、一般的には、代替アンテナ（例として）で測定されるＲＸレベルから現在のアクティブなアンテナで測定されるＲＸレベルを差し引くことによって計算することができる。
【００５５】
図４の状態図は、単なる例示であり、本発明の範囲を制限することを意図するものではない。この切替制御アルゴリズムは、３つ以上のアンテナ、４つ以上のアンテナ、５つ以上のアンテナ等を備えるデバイスにおいても拡張することができる。受信ダイバーシティをサポートするデバイス１０に対して、そのようなデバイス１０に対する複数のアンテナは、状態１０２と状態１０４の間に異なるアンテナに渡ってアクティブな切替を行うことなく、それぞれの受信機を使用して信号強度を同時に監視することができる（例えば、アンテナＡＮＴ０とアンテナＡＮＴ１は、それぞれ受信機６１と６５を使用して並行してＲＦ信号を受信することができる）。例えば、デバイス１０は、ＲＦフロントエンド６２における切替回路を使用して、現在のアクティブなアンテナを受信機６１に接続し、代替アンテナを受信機６５に接続することで、受信機６１と６５がダウンリンク信号を並行して受信するようにすることができる。
【００５６】
図５は、ΔＲの計算に関与するステップ群のフローチャートである（例えば、ステップ１０３は、状態１０２と状態１０４の間に実行することができる）。ステップ１１０で、ΔＲ値は、Ｎ個のＴＤＭＡフレームに渡って計算される。例えば、少なくとも３つの異なるΔＲ値が、１０４個のＴＤＭＡフレームを含む低速関連制御チャネル（ＳＨＣＣＨ）マルチフレームに対して計算される。ΔＲ値は、アイドルタイムスロット中にビーコンチャネルでダウンリンク信号を測定することによって、あるいは、非サイレントトラフィックチャネルフレーム（例として）からトラフィック信号品質を検出する／測定することによって計算することができる。ステップ１１２で、ΔＲは、Ｎ個のＴＤＭＡに渡る平均が計算される。上述の例では、ΔＲａｖｇは、少なくとも３つの異なるΔＲ値の平均をとることによって計算される。
【００５７】
状態の変更に対する迅速応答を確保しながらノイズを抑制するために、時間ベースの平均化フィルタを、新規に計算されたΔＲａｖｇ値に適用することができる（ステップ１１４）。複数のフィルタを使用することができ、これらは、それぞれ異なるフィルタリング特性を有している。例えば、それぞれが異なる関連フィルタリング特性を有する、２つ、３つ、あるいは４つ以上のフィルタが存在していても良い。任意の適切なフィルタリング（フィルタ処理）スキームを使用することができる（例えば、線形平均、より最近のアクティビティを有利に働きかける重み付け平均、有限インパルス応答（ＦＩＲ）あるいは無現インパルス応答（ＩＩＲ）フィルタ等）。
【００５８】
フィルタ処理済のΔＲFILTERは、所定の信号差分閾値ΔＲｔｈと比較される（ステップ１１６で）。ΔＲFILTERがΔＲｔｈ以下である場合、処理は経路１２０で示されるようにステップ１１０へループバックする。ΔＲFILTERがΔＲｔｈより大きい場合、ステップ１１８で示されるように、切替基準が合致し、制御回路４２は、アンテナを切り替えるための（例えば、現在のアクティブなアンテナとして代替アンテナを設定するための、あるいはその逆）リクエストを発行する。
【００５９】
必要であれば、オプションのタイマ動作を、制御アルゴリズムに組み込むことができる。タイマを使用することで、デバイス１０における制御アルゴリズムは、特定の閾値条件が単位時間当たりの一定回数に合致するという要件をアンテナ切替に課すことができる。タイマは、例えば、切替基準を満足するためには、少なくとも毎秒において閾値ΔＲｔｈを越えていることを要求することができる。少なくとも毎秒において閾値を越えることを要求する時間制限を使用することは単なる例示である。アンテナ切替動作の前に、単位時間当たりに何回、閾値を越えなければならないことを特定する他の適切な制限値を、必要な場合に使用することができる。
【００６０】
ＴＤＭＡフレームは、トラフィックチャネル（ＴＣＨ）マルチフレームの一部として送信することができる。図６に示されるように、トラフィックチャネルマルチフレーム１３０は、例えば、２６個のＴＤＭＡフレーム１３２を含むことができる。ＴＤＭＡフレーム１３２のそれぞれは、８個のタイムスロットＴＳ０−ＴＳ７を含むことができる。各タイムスロットは、ＴＤＭＡフレーム毎に５７６．９μｓ、計４．６２ｍｓの持続期間を有し、そして、２６個のＴＤＭＡフレームを含むトラフィックチャネルマルチフレーム毎に１２０ｍｓとなる。デバイス１０は、ＴＳ２のような８個のタイムスロットの少なくとも１つにトラフィックチャネル（ＴＣＨ）を割り当てることができる（例えば、図６では、タイムスロットＴＳ２は、デバイス１０に割り当てることができる）。図６の例では、デバイス１０は、ＴＤＭＡフレーム１３２のＴＣＨタイムスロットＴＳ２の間に、トラフィックデータバーストを送受信することができる。ＴＣＨタイムスロット以外のタイムスロットは、アイドルタイムスロットと呼ぶことができる。
【００６１】
フルレートＴＣＨマルチフレームに対しては、最後の（２６番目の）ＴＤＭＡフレーム以外の各ＴＤＭＡフレームは非アイドルフレームと見なされる。例えば、インデックス０−１１と１３−２４のＴＤＭＡフレームは、少なくとも１つのＴＣＨタイムスロットをそれぞれ含むことができる。少なくとも１つのトラフィックチャネルタイムスロットを含むＴＤＭＡフレームは、ＴＣＨフレームと呼ぶことができる。インデックス１２のＴＤＭＡフレームは、低速関連制御チャネル（ＳＡＣＣＨ）に専用の少なくとも１つのタイムスロットを含むことができる。少なくとも１つのＳＡＣＣＮタイムスロットを含むＴＤＭＡフレームは、ＳＡＣＣＨフレームと呼ぶことができる。デバイス１０は、ＳＡＣＣＨフレームの送信中に、トラフィックチャネルに関連付けられている制御信号／管理信号を送受信することができる。
【００６２】
ハーフレートＴＣＨマルチフレームに対しては、２６個のＴＤＭＡフレームの内の１３個がアイドルとなる（例えば、データバーストは、連続するＴＤＭＡフレームでは送信されない）。２つのタイプのハーフレートＴＣＨフレームが存在し得る。第１のタイプのハーフレートＴＣＨマルチフレーム１３０’（時には、サブチャネル０と呼ばれる）は、インデックス０、２、４、６、８、１０、１３、１５、１７、１９、２１及び２３のＴＣＨフレームと、インデックス１２のＳＡＣＣＨフレームを有する。第２のタイプのハーフレートＴＣＨマルチフレーム１３０’’（時には、サブチャネル１と呼ばれる）は、インデックス１、３、５、７、９、１１、１４、１６、１８、２０、２２及び２４のＴＣＨフレームと、インデックス２５のＳＡＣＣＨフレームを有する。
【００６３】
本発明の適切な実施形態では、デバイス１０は、少なくとも１つのアイドルタイムスロットの間にビーコンチャネルでの信号品質測定を実行することができる。ビーコンチャネル（時には、ブロードキャスト制御チャネルＢＣＣＨとして呼ばれる）は、アイデンティティ、構成設定、及び、特定の基地局（例えば、特定の「セル」あるいは基地局送受信機局）に関連付けられている利用可能な特性を公開するブロードキャスト制御情報を含む指定周波数を示している。ビーコンチャネルでの情報のブロードキャストは、移動局の近隣セル測定を容易にするために、全出力での基地局によってしばしば継続的に送信される。
【００６４】
図７Ａは、ハーフレートモードでフレームを受信していて、かつアイドルタイムスロットの内の選択された１つの間に在圏セルのビーコンチャネルでアンテナを変更することを伴うＲＸ信号品質測定を行うように構成されているデバイス１０を示している。図７Ａは、例えば、アイドルフレーム１３２−１の後に、連続するＴＣＨフレーム１３２−２が続いていることを示している。この例では、アンテナＡＮＴ１は、現在のアクティブなアンテナとして見なすことができる一方で、アンテナＡＮＴ０は、代替アンテナとして見なすことができる。
【００６５】
アイドルフレーム１３２−１の所定タイムスロット中（例えば、タイムスロットＴＳ４中）は、デバイス１０は、ビーコンチャネルで制御信号を受信して、代替アンテナを使用して対応する受信レベル（ＲＸBA）を測定することができる。デバイス１０は、現在のアンテナを使用して、フレーム１３２−２のＴＣＨタイムスロットＴＳ３中にトラフィックデータ信号を受信して、ビーコンチャネルでフレーム１３２−２の所定のタイムスロットＴＳ４中に制御信号を受信して、対応する受信レベル（ＲＸBC）を測定し、そして、フレーム１３２−２のＴＣＨタイムスロットＴＳ６中にトラフィックデータ信号を送信することができる。測定されたＲＸレベルＲＸBAとＲＸBCは、例えば、強度インジケータ（ＲＳＳＩ）情報、受信信号コード電力（ＲＳＣＰ）情報、信号対干渉比（ＳＩＮＲ）情報、信号対ノイズ比（ＳＮＲ）情報、Ｅｃ／ｌｏあるいはＥｃ／Ｎｏデータのような信号品質データに基づくチャネル品質測定値等を含むことができる。
【００６６】
ΔＲ値は、ＲＸBAとＲＸBC（例えば、ΔＲ＝ＲＸBA−ＲＸBC）に基づいて計算される。信号品質差分値ΔＲは、この方法では、ＴＤＭＡフレームの連続するペアそれぞれに対して継続的に計算される。一般的には、ビーコンチャネル信号は、アイドルフレーム中に代替アンテナを使用して受信することができる一方で、ビーコンチャネル信号は、アンテナ切替を最小にするために、ＴＣＨフレーム中に現在のアクティブなアンテナを使用して受信することができる。
【００６７】
ビーコンチャネルに基づく測定は、フルレートモードで動作するデバイス１０に対して行うこともできる。図７Ｂは、例えば、第１のＴＣＨフレーム１３２−１の後に、第２の（連続する）ＴＣＨフレーム１３２−２が続いていることを示している。この例では、アンテナＡＮＴ０は、現在のアクティブなアンテナとして見なすことができる一方で、アンテナＡＮＴ１は、代替アンテナとして見なすことができる。
【００６８】
デバイス１０は、現在のアンテナを使用してフレーム１３２−１のＴＣＨタイムスロットＴＳ１中にトラフィックデータ信号を受信し、代替アンテナを使用してビーコンチャネルでフレーム１３２−１の所定タイムスロット（例えば、タイムスロットＴＳ２）中に制御信号を受信して、かつ対応する受信レベル（ＲＸBA）を測定し、そして、現在のアンテナを使用してフレーム１３２−１のＴＣＨタイムスロットＴＳ５中にトラフィックデータ信号を送信することができる。デバイス１０は、現在のアンテナを使用して、フレーム１３２−２のＴＣＨタイムスロットＴＳ１中にトラフィックデータ信号を受信し、ビーコンチャネルでフレーム１３２−２のタイムスロットＴＳ２中に制御信号を受信して、かつ対応する受信レベル（ＲＸBC）を測定し、そして、フレーム１３２−２のＴＣＨタイムスロットＴＳ５中にトラフィックデータ信号を送信することができる。信号ΔＲ値は、ＲＸBAとＲＸBCに基づいて計算される（例えば、ΔＲ＝ＲＸBA−ＲＸBC）。信号品質差分値ΔＲは、ＴＤＭＡフレームの連続するペアそれぞれに対して、代替アンテナを使用して継続的に計算される。
【００６９】
図７Ａと図７Ｂは単なる例示であり、本発明の範囲を制限することを意図するものではない。一般的には、ビーコンチャネル測定は、関連するＴＣＨタイムスロットに隣接するアイドルタイムスロットで行われても良い。必要であれば、ビーコンチャネル測定は任意のアイドルタイムスロットで行うことができ、トラフィックデータバーストは各ＴＤＭＡフレームにおいて利用可能な任意のタイムスロットで送受信することができる。
【００７０】
フルレートシステムにおけるビーコンチャネルに基づくΔＲ計算に関連するステップ群が図８で示される。ステップ１４０で、ＲＸレベルが、連続するフレームの内の所与のペアにおける第１のＴＤＭＡフレームに対して計算される。ステップ１４０中に、ＴＣＨ信号が、第１のＴＣＨタイムスロット中に現在のアンテナを使用して受信され（ステップ１４２）、アイドルタイムスロット中に、ブロードキャスト信号が代替アンテナを使用してビーコンチャネルで受信され、かつ対応する受信測定基準がデバイス１０の記憶及び処理回路２８を使用して測定され（ステップ１４４）、そして、ＴＣＨ信号が、第２のＴＣＨタイムスロット中に現在のアンテナを使用して送信される（ステップ１４６）。
【００７１】
ステップ１５０で、ＲＸレベルが、連続するフレームの内の所与のペアにおける第２のＴＤＭＡフレームに対して計算される。ステップ１５０中に、現在アクティブなアンテナを使用して、第１のＴＣＨタイムスロット中にＴＣＨ信号を受信し（ステップ１５２）、アイドルタイムスロット中にビーコンチャネルでブロードキャスト信号を受信し（また、対応する受信測定基準がデバイス１０の記憶及び処理回路２８を使用して測定され）（ステップ１５４）、そして、第２のＴＣＨタイムスロット中にＴＣＨ信号を送信する（ステップＳ１５６）。処理は、ＴＤＭＡフレームの所望の数（Ｎ）に対して追加のＲＸレベル測定を実行するためにステップ１４０へループバックすることができる。ステップ１１２で、平均ΔＲａｖｇ値が、Ｎフレームから計算されるΔＲ値に基づいて計算される（例えば、図５参照）。
【００７２】
ハーフレートシステムに対するビーコンチャネルに基づく測定は図８と同様であるため、ステップ１４２とステップ１４６以外は省略する。受信機ダイバーシティがデバイス１０で利用可能である状況では、デバイス１０は、現在のアンテナと代替アンテナの両方を使用して（例えば、受信機６１と６５の両方を有効することによって）、各ＴＤＭＡフレームにおける単一の所定のタイムスロット中にビーコンチャネルでブロードキャスト制御信号を同時に受信することができる。デバイス１０は、異なるアンテナの受信信号品質を継続的に監視することで、使用する最適なアンテナを切り替えることを確保することができる。
【００７３】
本発明の別の適切な実施形態では、デバイス１０は、適応マルチレート（ＡＭＲ）音声コーデックを使用して処理されるＴＤＭＡフレーム（例えば、ＡＭＲオーディオフォーマットで符号化されるＴＤＭＡフレーム）に対する信号品質測定を実行することができる。ＡＭＲ音声コーデックは、ＧＳＭネットワークアクセス技術とＵＭＴＳネットワークアクセス技術で共通で使用される標準オーディオデータ圧縮スキームである。ＡＭＲ音声コーデックは、代数符号励振線形予測（ＡＣＥＬＰ）圧縮、不連続送信（ＤＴＸ）、ボイスアクティビティ検出（ＶＡＤ）、及びコンフォートノイズ生成（ＣＮＦ）のような様々なオーディオ処理技術に依存しても良い。
【００７４】
ダウンリンクＤＴＸ（例えば、デバイス１０が任意の有効信号を受信していない間のサイレンス期間）を処理するために、デバイス１０は、最小電力閾値を越えるエネルギーレベルを示すＴＤＭＡフレームのプレゼンス（存在）をブラインド検出する（即ち、非ＤＴＸフレームをブラインド検出する）ように構成されていても良い。この構成を使用する受信信号品質の測定は、時には、トラフィックチャネルに基づく測定（あるいは、非サイレントフレーム検出に基づく信号品質測定）と呼ばれる。非ＤＴＸに基づく測定は、例えば、信号フィルタ処理済のΔＲ値（図５）を取得するために、ＳＡＣＣＨマルチフレーム全体に渡る非サイレントフレームの検出を介在していても良い。図９に示されるように、ＳＡＣＣＨマルチフレームは、４つのＴＣＨマルチフレーム、あるいは約４８０ｍｓの持続期間を備える１０４個（例えば、Ｎ＝１０４）のＴＤＭＡフレームを含んでいる。各ＳＡＣＣＨマルチフレームは４つのＴＣＨマルチフレームを含んでいるので、各ＳＡＣＣＨマルチフレームは、（例として）インデックス１２、３８、６４及び９０の少なくとも４つのＳＡＣＣＨを含んでいる。
【００７５】
ＡＭＲ音声コーデックでは、サイレンスインジケータ記述（ＳＩＤ）フレームを、現在サービスを提供している基地局によってサイレンス期間中に１６０ｍｓ毎に送信することができる。ＤＵＴ１０によって受信されるＳＩＤフレームは、呼のコンフォートノイズレベルを設定するために使用することができる、あるいは、デバイス１０に信号品質測定を行わせることを可能にする。ＳＩＤフレームは１６０ｍｓ毎に送信されるので、ＳＡＣＣＨマルチフレームは、３つ（４８０ｍｓが１６０ｍｓによって分割される）の異なるサブブロック（３４個のＴＤＭＡフレームを有するサブブロック０、３５個のＴＤＭＡフレームを有するサブブロック１、及び３５個のＴＤＭＡフレームを有するサブブロック２）に分割される。ＳＡＣＣＨマルチフレームを３つの異なるサブブロックに分割することは、各サブブロック中に少なくともいくつかのＳＩＤフレームがデバイス１０によって受信されることを確保する。これは、各サブブロックが１６０ｍｓの持続期間を有しているからである。一般的には、各サブブロックの長さは、ＳＩＤフレームが間欠的に送信される頻度に反比例している。ＳＩＤフレームが８０ｍｓ毎に送信される場合、各ＳＡＣＣＨマルチフレームは（４８０が８０で分割されて）６個のサブブロックに分割される。ＳＩＤフレームが２４０ｍｓ毎に送信される場合、各ＳＡＣＣＨマルチフレームは（４８０が２４０で分割されて）２個のサブブロックに分割される。
【００７６】
各サブブロックの間、デバイス１０は、非サイレントフレーム及びＳＩＤフレームの少なくとも一方を検出するように構成される。図９の例では、デバイス１０は、切り替えるアンテナを使用して時間期間ｔ１中に非ＤＴＸフレームを検出して受信し、そして、対応する受信無線周波数測定基準（例えば、信号強度インジケータ（ＲＳＳＩ）情報、受信信号コード電力（ＲＳＣＰ）情報、信号対干渉比（ＳＩＮＲ）情報、信号対ノイズ比（ＳＮＲ）情報、Ｅｃ／ｌｏあるいはＥｃ／Ｎｏデータのような信号品質データに基づくチャネル品質測定値等）を測定して、その結果となるΔＲ値を計算する。時間期間ｔ１の間に計算されるΔＲの最大マグニチュード（あるいは絶対値）が所定のΔＲｍａｘ閾値を越える場合、時間期間ｔ２中に受信されるＳＩＤフレームは測定される必要はない。時間期間ｔ１の間に計算されるΔＲの最大マグニチュードが所定のΔＲｍａｘ閾値より小さい場合、時間期間ｔ２中に受信されるＳＩＤフレームは測定され、そして、追加のΔＲ値が計算される。
【００７７】
図９の例では、サブブロック１は、時間期間ｔ３中に間欠的に送信されるＳＩＤフレーム以外の非サイレントフレームを含んでいない。それゆえ、デバイス１０は、自身のアンテナを使用してこれらのＳＩＤフレームを検出して受信し、そして、所望の無線周波数測定基準を測定して、ΔＲ値を計算し記憶する。
【００７８】
図９の例では、サブブロック２は、非ＤＴＸフレーム（ＳＩＤフレームを除く）を含んでいる。例えば、デバイス１０は、切り替えるアンテナを使用して時間期間ｔ４中にＳＩＤフレームを最初に検出して受信し、そして、対応する受信電力測定基準を測定して、ΔＲ値を計算する。デバイス１０は、次に、自身のアンテナを使用して時間期間ｔ５中に非ＤＴＸフレームを検出して受信し、対応する受信電力測定基準を測定して、結果として得られるΔＲ値を計算する。この方法で受信レベルを検出し監視することは、各サブブロックに対して少なくともいくつかの非サイレントＴＤＭＡフレームが受信されることを確保する。
【００７９】
デバイス１０は、ＳＡＣＣＨマルチフレーム毎の各サブブロックに関連付けられている最大絶対値を有する最大ΔＲ値を記憶するように構成されている。例えば、サブブロック０、１及び２それぞれに関連付けられている最大｜ΔＲ｜は、ΔＲ０、ΔＲ１及びΔＲ２はそれぞれ等しい。単一のΔＲａｖｇは、各ＳＡＣＣＨマルチフレームに対するΔＲ０、ΔＲ１及びΔＲ２の平均を計算することによって計算することができる。
【００８０】
本発明の別の実施形態では、デバイス１０は、非ＡＭＲ音声コーデックを使用して処理されるＴＤＭＡフレームに対する信号品質測定を実行することができる。非ＡＭＲ音声コーデックに対しては、現在サービスを提供している基地局が、ＳＩＤフレームに対して予約されている所定のパターンのＴＤＭＡフレームを含むＳＡＣＣＨマルチフレームを送信することができる（例えば、各ＳＡＣＣＨフレームは、ＳＩＤフレームの送信用に予約されている所定のＴＤＭＡフレームロケーション（あるいは、部分）を有している）。図１０は、異なるタイプのＳＡＣＣＨマルチフレームを示していて、これらはそれぞれ、異なる予約済のＳＩＤフレームパターンを含んでいる。
【００８１】
フルレートＳＡＣＣＨマルチフレーム１６０は、例えば、インデックス５２−５９のＳＩＤフレームを含んでいる。この例では、デバイス１０は、自身の現在のアクティブなアンテナを使用して、ＳＩＤフレーム５２、５４、５６及び５８を測定し、また、自身の代替アンテナを使用してＳＩＤフレーム５３、５５、５７及び５９を測定することができる（例えば、デバイス１０は、連続するＳＩＤフレームに対して自身の受信アンテナを継続的にトグルして使用することができる）。その結果、４つのΔＲ値をＲＸｃ／ＲＸａレベルの４つのペアに基づいて計算することができる。４つのΔＲ値の平均を計算することで、ＳＡＣＣＨマルチフレームに対するΔＲａｖｇを取得することができる。必要であれば、４つより多いあるいは少ない受信電力測定基準のペア（例えば、受信信号強度インジケータ（ＲＳＳＩ）情報、受信信号コード電力（ＲＳＣＰ）情報、信号対干渉比（ＳＩＮＲ）情報、信号対ノイズ比（ＳＮＲ）情報、Ｅｃ／ｌｏあるいはＥｃ／Ｎｏデータのような信号品質データに基づくチャネル品質測定値等）は、デバイス１０の複数のアンテナをトグルすることによって測定することができ、また、ＳＩＤフレームは、ＳＡＣＣＨマルチフレームの任意の部分で送信することができる。
【００８２】
別の例では、ハーフレートでサブチャネル０のＳＡＣＣＨマルチフレーム１６０’は、インデックス０、２、４、６、５２、５４、５６及び５８のＳＩＤフレームを含んでいる。この例では、デバイス１０は、自身の現在のアンテナを使用して、ＳＩＤフレーム０、４、５２及び５６を測定することができ、また、自身の代替アンテナを使用してＳＩＤフレーム２、６、５４及び５８を測定することができる。その結果、４個のΔＲ値を、ＲＸｃ／ＲＸａレベルの４つのペアに基づいて計算することができる。この４個のΔＲ値の平均を計算することで、ＳＡＣＣＨマルチフレームに対するΔＲａｖｇを取得することができる。必要であれば、４つより多いあるいは少ない受信電力測定基準のペアは、デバイス１０の複数のアンテナをトグルすることによって測定することができ、また、ＳＩＤフレームは、ＳＡＣＣＨマルチフレームの任意の所定のサブセットで送信することができる。
【００８３】
別の例では、ハーフレートでサブチャネル１のＳＡＣＣＨマルチフレーム１６０’は、インデックス１４、１６、１８、２０、６６、６８、７０及び７２のＳＩＤフレームを含んでいる。この例では、デバイス１０は、自身の現在のアクティブなアンテナを使用して、ＳＩＤフレーム１４、１８、６６及び７０を測定することができ、また、自身の代替アンテナを使用してＳＩＤフレーム１６、２０、６８及び７２を測定することができる。その結果、４個のΔＲ値を、ＲＸｃ／ＲＸａレベルの４つのペアに基づいて計算することができる。この４個のΔＲ値の平均を計算することで、ＳＡＣＣＨマルチフレームに対するΔＲａｖｇを取得することができる。必要であれば、４つより多いあるいは少ない受信電力測定基準のペアは、デバイス１０の複数のアンテナをトグルすることによって測定することができ、また、ＳＩＤフレームは、ＳＡＣＣＨマルチフレームの任意の所定のサブセットで送信することができる。
【００８４】
図１１は、ＡＭＲオーディオコーデックスに基づくＴＤＭＡネットワークに対する平均ΔＲａｖｇを計算する際に介在するステップ群のフローチャートである。ステップ２００で、デバイス１０は、自身の現在のアクティブなアンテナを使用して、所与の非アイドルＴＤＭＡフレーム（即ち、ＴＣＨフレーム、ＳＡＣＣＨフレーム、ＳＩＤフレーム等）を受信し、また、対応する受信レベルＲＸｃを測定する。ステップ２０２で、制御回路４２は、所与のＴＤＭＡフレームがＳＡＣＣＨフレームであるかどうかを判定するために使用される。
【００８５】
所与のＴＤＭＡフレームがＳＡＣＣＨフレームである場合、受信レベルＲＸｃは新規の基準受信電力レベルＲＸｒｅｆとして使用することができる（例えば、基準レベルＲＸｒｅｆは、新規のＳＡＣＣＨフレームが受信される時はいつでも更新されても良い）。次に、処理は、ステップ２００へループバックし、経路２０６で示されるように、連続する非アイドルＴＤＭＡフレームを受信する。所与のＴＤＭＡフレームがＳＡＣＣＨフレームでない場合（例えば、現在のフレームがＴＣＨフレームあるいはＳＩＤフレームである場合）、処理は、ステップ２０８へ進む。
【００８６】
ステップ２０８で、制御回路４２は、トラフィックレベルが低いかどうかを判定するために（例えば、ＲＸｒｅｆとＲＸｃとの間の差分が第１の所定閾値量Δｒｅｆ１よりも大きいかをチェックするために）、あるいは現在のサブブロックに対して計算されるΔＲの最大絶対値が、このサブブロックの残りに対してトグルする追加のアンテナを抑制するために十分に高いかを判定するために（例えば、｜ΔＲｍａｘ｜が第２の所定閾値量Δｒｅｆ２よりも大きいかをチェックするために）使用される。２つの条件の内、少なくとも１つを満たす場合（即ち、現在のＴＤＭＡがサイレントフレームである場合、あるいは｜Ｒｍａｘ｜がΔｒｅｆ２よりも大きい場合）、処理は、ステップ２００へループバックし、そうすることで、経路２０６によって示されるように、次の非アイドルフレームが現在のアンテナ（即ち、アンテナはトグルされない）を使用して受信されることになる。どちらの条件も満たさない場合（即ち、現在のアクティブなアンテナを使用して受信される現在のＴＤＭＡフレームが非サイレントフレームである場合で、かつ｜ΔＲｍａｘ｜がΔｒｅｆ２より小さい場合）、処理はステップ２１２へ進む。
【００８７】
ステップ２１２で、デバイス１０は自身の使用するアンテナをトグルすることで、自身の代替アンテナを使用して、次の非アイドルＴＤＭＡを受信するとともに、対応する受信レベルＲＸａを測定する。ステップ２１４で、ΔＲ値が、ＲＸａからＲＸｃを差し引くことによって計算される。正数のΔＲは、現在のアンテナに関連する代替アンテナを使用して受信されるより強い信号強度を反映したものである。ステップ２１６で、ΔＲｍａｘは、ステップ２１４中に計算されるΔＲの絶対値（即ち、｜ΔＲ｜）が、ΔＲｍａｘの従前に記憶されている値の絶対値よりも大きい場合に更新される（例えば、現在計算された｜ΔＲ｜が｜ΔＲｍａｘ｜よりも大きい場合、ΔＲｍａｘは現在計算されたΔＲと同じに設定されることになる）。処理は、ステップ２００へループバックし、経路２１８で示されるように、現在のサブブロックの追加のＴＤＭＡフレームを監視する。
【００８８】
現在のサブブロックの最終のＴＤＭＡフレームの受信後、処理は、ステップ２２０へ進む。ステップ２２０で、ΔＲｍａｘの現在の値はリストに別途記憶され、ΔＲｍａｘは次のサブブロックを監視することに備えてゼロにリセットされる。処理はステップ１１０へループバックし、経路２２２で示されるように、次のサブブロックに対するΔＲｍａｘを測定する。
【００８９】
現在のＳＡＣＣＨマルチフレームの異なるサブブロックのそれぞれに対するΔＲｍａｘ値が計算されていて、かつリストに記憶されている場合、ΔＲａｖｇは、各サブブロックに関連付けられているΔＲｍａｘの平均を計算することによって計算される（ステップ１１２）。例えば、そのＳＡＣＣＨマルチフレームに対するΔＲａｖｇは、サブブロック０に関連付けられているΔＲｍａｘ、サブブロック１に関連付けられているΔＲｍａｘ、及びサブブロック２に関連付けられているΔＲｍａｘの平均を計算することによって（例えば、現在のＳＡＣＣＨマルチフレームに関連付けられている記憶されているΔＲｍａｘのすべての平均を計算することによって）計算される。処理は、ステップ１１４へ進み、図５に関して説明されるような所望のフィルタリングを適用する。
【００９０】
図１１に関して説明されるステップ群は、単なる例示であり、本発明の範囲を制限することを意図するものではない。必要であれば、これらのステップは、受信ダイバーシティを備える移動デバイスに適用することができる。このようなタイプのデバイスに対しては、現在のアクティブなアンテナと代替アンテナの両方が到来する非ＤＴＸフレームを受信している間は、ステップ２０８とステップ２１２は１つのステップとなり、そうすることで、ＲＸｃとＲＸａは、１つの非アイドルＴＤＭＡフレーム中に同時に測定することができる。一般的には、これらのステップは、３つ以上のアンテナ、４つ以上のアンテナ、６つ以上のアンテナ等を有する無線デバイスを取り扱うように拡張することもできる。
【００９１】
図１２は、非ＡＭＲオーディオコーデックに基づくネットワークに対する平均ΔＲａｖｇを計算する際に関与するステップ群のフローチャートである。ステップ３００で、デバイス１０は、現在のフレームが予約済のＳＩＤフレームであるかを判定する（例えば、デバイス１０は、各ＳＡＣＣＨマルチフレームの所定期間中にＳＩＤフレームを受信するように構成設定することができる）。例えば、デバイス１０が、ＳＡＣＣＨマルチリフレームの第１の部分と第２の部分において予約済のＳＩＤフレームを含んでいる、ＳＡＣＣＨマルチフレームを受信するように構成設定されている状況を想定する。現在のフレームが予約済のＳＩＤフレームでない場合（即ち、現在のフレームがＳＡＣＣＨマルチフレームの第１の部分と第２の部分の一部でない場合）、デバイス１０は、任意の信号品質測定を行わず、そして、次のＴＤＭＡフレームを待機することができる（経路３０２で示されるように）。現在のフレームが予約済のＳＩＤフレームである場合（即ち、現在のフレームがＳＡＣＣＨマルチフレームの第１の部分あるいは第２の部分の一部を形成している場合）、デバイス１０は、現在のアンテナを使用して現在のＳＩＤフレームを受信して、対応する受信レベルＲＸｃを受信することができる（ステップ３０４）。
【００９２】
ステップ３０６で、デバイス１０は、次のフレームが予約済のＳＩＤフレームであるかを判定する。次のフレームが予約済のＳＩＤフレームでない場合あるいはアイドルフレームである場合、デバイス１０は、任意の信号品質測定を行わず、そして、次のＴＤＭＡフレームを待機する（経路３０８で示されるように）。次のフレームが予約済のＳＩＤフレームである場合、デバイス１０は、代替アンテナを使用してＳＩＤフレームを受信し、対応する受信レベルＲＸａを測定する（ステップ３０８）。ステップ３１０で、ΔＲ値は、ステップ３０４とステップ３０８中にそれぞれ測定されるＲＸｃとＲＸａに基づいて計算される（例えば、ΔＲ＝ＲＸａ−ＲＸｃ）。ステップ３１２で、ΔＲ値は、デバイス１０のリストに記憶される。現在のＳＡＣＣＨマルチフレーム内に追加の予約済のＳＩＤフレームが存在する場合、処理はステップ３００へループバックする。
【００９３】
ステップ１１２で、ΔＲａｖｇは、現在のＳＡＣＣＨマルチフレームに関連付けられている記憶されているΔＲ値の平均を計算することによって計算される。処理はステップ１１４へ進み、図５に関して説明される所望のフィルタリングを適用する。
【００９４】
図１２に関して説明されるステップ群は、単なる例示であり、本発明の範囲を制限することを意図するものではない。必要であれば、これらのステップは、受信ダイバーシティを備える移動デバイスに適用することができる。このようなタイプのデバイスに対しては、現在のアクティブなアンテナと代替アンテナの両方が到来する予約済のＳＩＤフレームを受信している間は、ステップ３０４とステップ３０８は１つのステップとなり、そうすることで、ＲＸｃとＲＸａは、同時に測定することができる。一般的には、これらのステップは、３つ以上のアンテナ、４つ以上のアンテナ、６つ以上のアンテナ等を有する無線デバイスを取り扱うように拡張することもできる。
【００９５】
上述の内容は、本発明の原理の単なる例示であり、様々な変形を、本発明の範囲及び精神から逸脱することなく当業者によって行うことができる。上述の実施形態は、個別に実現されても良いし、あるいは任意の組み合わせで実現されても良い。
【図１】
0005745179.tif 000002
【図２】
0005745179.tif 000003
【図３】
0005745179.tif 000004
【図４】
0005745179.tif 000005
【図５】
0005745179.tif 000006
【図６】
0005745179.tif 000007
【図７Ａ】
0005745179.tif 000008
【図７Ｂ】
0005745179.tif 000009
【図８】
0005745179.tif 000010
【図９】
0005745179.tif 000011
【図１０】
0005745179.tif 000012
【図１１】
0005745179.tif 000013
【図１２】
0005745179.tif 000014